(57)【特許請求の範囲】
【請求項１】
コンテナ内部を仕切るパネル本体にベルトを取り付けるベルト取付構造であって、
前記パネル本体の表面に形成され、該表面よりも凹んだ凹部と、
該凹部の底面に固定されたワッシャ部材と、
前記ベルトを前記凹部内において前記ワッシャ部材に固定するポップリベットとを備え、
該ポップリベットの前記凹部内に位置する頭部が、前記パネル本体の表面と同一またはそれよりも内側に引っ込んだ位置に収納されているベルト取付構造。
【請求項２】
前記ワッシャ部材が、厚さ方向に貫通する多数の孔を有するプレート状の部材からなる請求項１に記載のベルト取付構造。
【請求項３】
請求項１または請求項２に記載のベルト取付構造を備える間仕切りパネル。
【発明の詳細な説明】
【技術分野】
【０００１】
本発明は、ベルト取付構造およびこれを備える間仕切りパネルに関し、より詳しくは、コンテナ内部を、異なる温度に管理される２室以上に仕切る断熱性パネルにベルトを取り付けるためのベルト取付構造に関するものである。
【背景技術】
【０００２】
従来、冷凍保存物と冷蔵保存物とを１台のトラックで輸送するために、トラックのコンテナ内部を、異なる温度に管理される２室に仕切る断熱性の間仕切りパネルが知られている（例えば、特許文献１参照。）。間仕切りパネルの表面には、作業者が当該パネルを移動させるための取手ベルトや、コンテナの内壁に当該パネルを固定するためのラッシングベルトが取り付けられている。荷重が作用するこれらベルトは、間仕切りパネルに対して堅固に取り付ける必要がある。そこで、ベルトの間仕切りパネルへの取り付けには、間仕切りパネルを貫通するボルトと、該ボルトに締結されるナットとを用い、ボルトの頭部とナットとによってベルトおよび間仕切りパネルを両側から挟み込む方式が一般に採用されている。
【先行技術文献】
【特許文献】
【０００３】
【特許文献１】特開２００９−１２０２６６号公報
【発明の概要】
【発明が解決しようとする課題】
【０００４】
しかしながら、上記のボルトおよびナットを用いた取付方式においては、間仕切りパネルの表面よりも突出しているボルトの頭部およびナットが、コンテナ内に積まれた荷物に接触し、荷物の外装用段ボール箱やその中身に傷を付けてしまうことがあるという問題がある。
本発明は、上述した事情に鑑みてなされたものであって、ベルトのパネルへの取り付け強度を確保しつつ荷物に傷を付けることを防ぐことができるベルト取付構造および間仕切りパネルを提供することを目的とする。
【課題を解決するための手段】
【０００５】
上記目的を達成するため、本発明は以下の手段を提供する。
本発明は、コンテナ内部を仕切るパネル本体にベルトを取り付けるベルト取付構造であって、前記パネル本体の表面に形成され、該表面よりも凹んだ凹部と、該凹部の底面に固定されたワッシャ部材と、前記ベルトを前記凹部内において前記ワッシャ部材に固定するポップリベットとを備え、該ポップリベットの前記凹部内に位置する頭部が、前記パネル本体の表面と同一またはそれよりも内側に引っ込んだ位置に収納されているベルト取付構造を提供する。
【０００６】
本発明によれば、ベルトが、凹部の底面に固定されたワッシャ部材にポップリベットによって固定されており、ポップリベットの両端部がパネル本体の表面から突出しない。すなわち、ポップリベットの頭部は、凹部内に収納され、ポップリベットのかしめられた先端部分は、パネル本体の内部に位置している。これにより、ベルトのパネルへの取り付け強度を確保しつつ荷物に傷を付けることを防ぐことができる。
【０００７】
上記発明においては、前記ワッシャ部材が、厚さ方向に貫通する多数の孔を有するプレート状の部材からなっていてもよい。
このようにすることで、凹部の底面にワッシャ部材を接着剤によって固定する工程において、接着剤が孔の内部にも入り込み、接着剤とワッシャ部材との接着面積がより大きくなる。これにより、大きな荷重が作用するワッシャ部材の、パネル本体に対する固定力を高めることができる。
また、本発明は、上記いずれかに記載のベルト取付構造を備える間仕切りパネルを提供する。
【発明の効果】
【０００８】
本発明によれば、ベルトのパネルへの取り付け強度を確保しつつ荷物に傷を付けることを防ぐことができるという効果を奏する。
【図面の簡単な説明】
【０００９】
【図１】本発明の一実施形態に係るベルト取付構造を説明する図であり、間仕切りパネルの部分的な構成を示す（ａ）正面図、（ｂ）側面図および（ｃ）Ａ−Ａ断面図である。
【図２】図１（ｃ）における領域Ｂの拡大図である。
【図３】図１のベルト取付構造を分解した斜視図である。
【発明を実施するための形態】
【００１０】
以下に、本発明の一実施形態に係るベルト取付構造１およびこれを備える間仕切りパネルについて図面を参照して説明する。
図１は、本実施形態に係る間仕切りパネルの一部分を示している。間仕切りパネルは、図１に示されるように、断熱性を有する平板状のパネル本体２と、該パネル本体２に取り付けられたベルト３とを備え、該ベルト３は、ベルト取付構造１を用いてパネル本体２に取り付けられている。本例においては、パネル本体２の前面に取り付けられた、作業者がパネル本体２を移動させるための取手ベルト３について説明するが、本実施形態のベルト取付構造１は、パネル本体２の外面に取り付けられる任意のベルト（例えば、ラッシングベルト）の取り付けに適用することができる。
【００１１】
パネル本体２は、断熱性を有する板状の断熱材２ａと、該断熱材２ａの外面を被覆する保護シート２ｂとを備えている。断熱材２ａは、例えば、発泡スチロールや発泡ウレタン等の発泡体である。保護シート２ｂは、例えば、ＡＢＳ樹脂からなる。
取手ベルト３は、端部を折り返してなる環状のループ部３ａが両端に形成されている。
【００１２】
本実施形態に係るベルト取付構造１は、図１および図２に示されるように、パネル本体２の前面に形成された凹部４と、取手ベルト３の端部に連結された取付金具５と、凹部４の底面に固定されたバックプレート（ワッシャ部材）６と、該バックプレート６に取付金具５を固定するポップリベット７とを備えている。
パネル本体２の前面は、全体として略平坦である。凹部４は、略平坦な周囲の平坦部分よりもパネル本体２の内側に凹んでおり、平坦な底面を有している。また、凹部４は、取手ベルト３の両端部に対応して２個１組で設けられている。
【００１３】
取付金具５は、取手ベルト３のループ部３ａ内に挿入され、両端部が取手ベルト３の幅方向の両側に突出している。これら両端部は、略同一平面上に位置する平板状であり、ポップリベット７が挿入されるリベット穴５ａが厚さ方向に貫通形成されている。
【００１４】
バックプレート６は、金属等の剛体からなる平板状の部材であって、凹部４の底面に設けられている。具体的には、バックプレート６は、断熱材２ａと保護シート２ｂとの間に位置し、バックプレート６の両面が接着剤によって断熱材２ａおよび保護シート２ｂに固定されている。また、バックプレート６は、厚さ方向に貫通する多数の孔６ａを有しており、これによって、後述するように、バックプレート６と断熱材２ａおよび保護シート２ｂとの間のより強い接着強度が得られるようになっている。
【００１５】
ポップリベット７は、両端が開口した筒状の胴部７ａと、該胴部７ａの一端に設けられたフランジ状の頭部７ｂとを有し、胴部７ａの先端部分を、図示しないリベッターを用いてかしめて半径方向に拡大変形させるものである。リベッターは、胴部７ａ内に貫通して挿入される軸部と、該軸部の先端に設けられた頭部とを有し、ポップリベット７の頭部７ｂとリベッターの頭部とが、胴部７ａを間に挟んで互いに反対側に配置される。そして、リベッターの軸部を、該リベッターの頭部とは反対側に引き抜くことによって、リベッターの頭部によって胴部７ａの先端部分をかしめることができる。ポップリベット７は、頭部７ｂと、かしめられた胴部７ａの先端部分（以下、この部分をかしめ部とも言う。）７ｃとで取付金具５およびバックプレート６を両側から挟み込み、取付金具５をバックプレート６に固定する。
【００１６】
ここで、図２に示されるように、凹部４の深さ寸法Ｄは、ポップリベット７の頭部７ｂの高さ寸法Ｈと、取付金具５の端部の厚さ寸法Ｔとの和と、同一またはそれよりも大きく設計されている。これにより、ポップリベット７の頭部７ｂの頂面が、パネル本体２の前面の平坦部分と同一またはそれよりも内側に引っ込んだ位置に配され、ポップリベット７の頭部７ｂ全体が、凹部４内に収納されるようになっている。
【００１７】
次に、本実施形態に係るベルト取付構造１の形成方法について説明する。
図３は、ベルト取付構造１の分解図である。図３に示されるように、まず、断熱材２ａおよび保護シート２ｂの前面に、凹部４となる窪み２ｃ，２ｄをそれぞれ形成する。次に、保護シート２ｂの窪み２ｄの背面にバックプレート６の前面を両面テープ等を用いて固定する。一方、断熱材２ａの窪み２ｃに接着剤を塗布する。そして、バックプレート６を断熱材２ａの窪み２ｃに位置合わせし、バックプレート６の背面を窪み２ｃの底面に接着する。
【００１８】
このときに、窪み２ｃの底面に塗布された接着剤が、孔６ａ内を介してバックプレート６の背面から前面まで移動することによって、孔６ａが形成されていない（つまり、背面が真っ平らな）バックプレート６に比べて、バックプレート６と断熱材２ａとのより大きな接着面積が得られる。これにより、バックプレート６と断熱材２ａとの間の強い接着強度が得られ、作業者が取手ベルト３を引っ張ったときに、バックプレート６が断熱材２ａから剥がれることを防ぐことができる。また、バックプレート６の前面に回り込んだ接着剤によって、保護シート２ｂもバックプレート６および断熱材２ａに対してより強く接着する。これにより、バックプレート６周辺を頑丈な構造とすることができる。
【００１９】
次に、接着剤が硬化した後に、ポップリベット７用の穴を保護シート２ｂおよびバックプレート６に貫通形成し、この穴に取付金具５のリベット穴５ａを位置合わせし、ポップリベット７をリベット穴５ａを介してパネル本体２内へ挿入し、ポップリベット７を所定の手順でバックプレート６に固定する。これにより、図２に示されるように、取手ベルト３を、取付金具５およびバックプレート６を介してパネル本体２に取り付けることができる。
【００２０】
このように、本実施形態に係るベルト取付構造１によれば、パネル本体２に固定されたバックプレート６に対して、取手ベルト３をポップリベット７を用いて取り付けている。これにより、パネル本体２に対して取手ベルト３を十分堅固に取り付けることができる。
【００２１】
さらに、パネル本体２の前面においては、凹部４内に収納されたポップリベット７の頭部７ｂが平坦部分よりも突出することがなく、さらに、ポップリベット７のかしめ部７ｃはパネル本体２の内部に位置するので、パネル本体２の背面は硬い金具が存在しない平坦な形状となる。このように、パネル本体２の表面からの金具の突出が無い構造とすることによって、間仕切りパネルに荷物が接触したときに、荷物が傷ついてしまうことを防ぐことができる。
【００２２】
さらに、ベルト３を固定するための金具として、パネル本体２を貫通するボルトを使用した場合には、高い熱伝導性を有するボルトが、パネル本体２の一側から他側へ熱を伝えてしまい、間仕切りパネルの断熱性能の低下の要因となる。これに対し、パネル本体２を貫通しないポップリベット７を採用することによって、パネル本体２の一側と他側とを接続する熱伝導性の高い部材が存在しないので、間仕切りパネルの断熱性能を向上することができるという利点がある。
【００２３】
なお、本実施形態においては、取付金具５を介して取手ベルト３を凹部４の底面に固定することとしたが、取手ベルト３の強度を確保できる場合には、取付金具５を省略し、取手ベルト３の端部を直接凹部４の底面に固定してもよい。
【符号の説明】
【００２４】
１  ベルト取付構造
２  パネル本体
２ａ  断熱材
２ｂ  保護シート
２ｃ，２ｄ  窪み
３  取手ベルト（ベルト）
３ａ  ループ部
４  凹部
５  取付金具
５ａ  リベット穴
６  バックプレート（ワッシャ部材）
６ａ  孔
７  ポップリベット
７ａ  胴部
７ｂ  頭部
７ｃ  かしめ部
【図１】
0006047077.tif 000002
【図２】
0006047077.tif 000003
【図３】
0006047077.tif 000004